(57)【要約】  情報端末装置（１００）において、表示部（２）は、制御部（９）の指令に基づき、複数の文字キーと、複数の文字キーを選択することによって入力される一以上の文字を含む入力情報を確定させる確定キー(２０)と、複数の文字キーのうちいずれかを選択することを示す選択標示と、を表示する。入力部（３）は、制御部（９）に対し、表示部（２）に表示された選択標示を複数の文字キー上を順次移動させて、いずれかの文字キーを選択させる選択キー（５）と、表示部（２）の表示内容を変更させる変更キー（８）と、を有する。制御部（９）は、表示部（２）に入力情報が表示されている状態で、変更キー（８）が操作されたとき、表示部（２）に表示された選択標示を、選択されている文字キーから確定キー(２０）に直接移動させる。
2012117689.tif 000002
【特許請求の範囲】
【請求項１】
本体ケースと、
前記本体ケースの表面に設けられた表示部と、
前記本体ケースの表面に設けられ、前記表示部の周辺に設けられた入力部と、
前記入力部及び前記表示部に接続され、前記表示部の表示を制御する制御部と、
を備え、
前記表示部は、前記制御部の指令に基づき、
複数の文字キーと、
前記複数の文字キーを選択することによって入力される一以上の文字を含む入力情報を確定させる確定キーと、
前記複数の文字キーのうちいずれかを選択することを示す選択標示と、
を表示し、
前記入力部は、前記制御部に対し、
前記表示部に表示された選択標示を前記複数の文字キー上を順次移動させて、いずれかの文字キーを選択させる選択キーと、
前記表示部の表示内容を変更させる変更キーと、
を有し、
前記制御部は、
前記表示部に前記入力情報が表示されている状態で、前記変更キーが操作されたとき、前記表示部に表示された選択標示を、選択されている文字キーから確定キーに直接移動させる、
情報端末装置。
【請求項２】
前記入力部は、前記制御部に対し、前記選択キーにより選択された文字を決定させる決定キーを更に有し、
前記選択キーは、十字キーにより構成され、
前記決定キーは、前記十字キーの中央の第１の押圧キーにより構成され、
前記変更キーは、前記十字キーの周辺に設けた第２の押圧キーによって構成された、
請求項１に記載の情報端末装置。
【請求項３】
本体ケースと、
前記本体ケースの表面に設けられた表示部と、
前記本体ケースの表面に設けられ、前記表示部の周辺に設けられた入力部と、
前記入力部及び前記表示部に接続され、前記表示部の表示を制御する制御部と、
生体試料を点着するセンサを装着するセンサ装着部と、
前記制御部に接続され、前記生体試料を検知し測定する測定部と、
を備え、
前記表示部は、前記制御部の指令に基づき、
複数の文字キーと、
前記複数の文字キーを選択することによって入力される一以上の文字を含む入力情報を確定させる確定キーと、
前記複数の文字キーのうちいずれかを選択することを示す選択標示と、
を表示し、
前記入力部は、前記制御部に対し、
前記表示部に表示された選択標示を前記複数の文字キー上を順次移動させて、いずれかの文字キーを選択させる選択キーと、
前記表示部の表示内容を変更させる変更キーと、
を有し、
前記制御部は、
前記測定部による測定処理開始後、前記入力部を介して前記入力情報の入力を受け付け、
前記表示部に前記入力情報が表示されている状態で、前記変更キーが操作されたとき、前記表示部に表示された選択標示を、選択されている文字キーから確定キーに直接移動させる、
生体試料測定装置。
【請求項４】
前記入力部は、前記制御部に対し、前記選択キーにより選択された文字を決定させる決定キーを更に有し、
前記選択キーは、十字キーにより構成され、
前記決定キーは、前記十字キーの中央の第１の押圧キーにより構成され、
前記変更キーは、前記十字キーの周辺に設けた第２の押圧キーによって構成された、
請求項３に記載の生体試料測定装置。
【請求項５】
前記入力情報は、前記生体試料の測定者の識別情報、前記生体試料の被測定者の識別情報、及び前記センサの識別情報の少なくとも一つである、
請求項３に記載の生体試料測定装置。
【発明の詳細な説明】
【技術分野】
【０００１】
本発明は、情報端末装置、特に血糖値等の生体試料を測定する生体試料測定装置に関するものである。
【背景技術】
【０００２】
例えば、血糖値を測定する生体試料測定装置を病院で活用しようと考えた場合、測定者も患者も多くいるので、測定者および患者を特定することが求められる。従って、測定者および患者には、それぞれＩＤを付与し、入力する必要がある。
そこで、従来は、文字等を入力するために、情報端末装置の表示部の下方に文字や番号を示す複数の文字キーを整列配置していた（例えば、下記特許文献１）。
【先行技術文献】
【特許文献】
【０００３】
【特許文献１】特開２００６−２９３７９７号公報
【発明の概要】
【発明が解決しようとする課題】
【０００４】
上記のような端末装置における文字等が入力するための構成を生体試料測定装置に適用した場合、装置が大型化し、使い勝手が悪くなる。すなわち、患者や測定者のＩＤを入力するために、上述のごとく、表示部の下方に、文字や番号を示す複数の文字キーを整列配置すると、その分装置が大型化してしまう。
そこで、文字キーを表示部内に表示させ、この表示部の周辺に設けた入力手段により表示部内の文字キーを選択することで、小型化を図ることが検討されている。この場合、先ず、入力部の選択キーを操作することにより、表示部内の文字上でカーソルを順次移動させる。そして、表示部内の選択しようとする文字キーを順次選択し、複数の番号からなるＩＤを入力する。次に、入力部の選択キーで、カーソルを更に移動させて表示部内の確定キーを選択し、入力されたＩＤを確定する。【０００５】
しかしながら、選択され入力された最後の文字キーと確定キーとが表示部内において、離れた場所に表示されていた場合、カーソルの移動量が大きくなるため、結果的に確定キーまでの到達に多くの時間を要する。その結果、生体試料測定装置の操作性が悪かった。
そこで、本発明は、情報端末装置における入力操作の効率を高めることを目的とするものである。
【課題を解決するための手段】
【０００６】
ここに開示される情報端末装置は、本体ケースと、この本体ケースの表面に設けられた表示部と、本体ケースの表面に設けられ、表示部の周辺に設けられた入力部と、この入力部及び表示部に接続され、表示部の表示を制御する制御部と、を備える。表示部は、制御部の指令に基づき、複数の文字キーと、複数の文字キーを選択することによって入力される一以上の文字を含む入力情報を確定させる確定キーと、複数の文字キーのうちいずれかを選択することを示す選択標示と、を表示する。入力部は、制御部に対し、表示部に表示された選択標示を複数の文字キー上を順次移動させて、いずれかの文字キーを選択させる選択キーと、表示部の表示内容を変更させる変更キーと、を有する。制御部は、表示部に入力情報が表示されている状態で、変更キーが操作されたとき、表示部に表示された選択標示を、選択されている文字キーから確定キーに直接移動させる。
【発明の効果】
【０００７】
上記情報端末装置によれば、情報端末装置における入力操作の効率を高めることができる。
【図面の簡単な説明】
【０００８】
【図１】本発明の一実施形態における携帯型生体試料測定装置の外観を示す斜視図
【図２】同生体試料測定装置の制御ブロック図
【図３Ａ】同生体試料測定装置の動作フローチャート
【図３Ｂ】同生体試料測定装置の動作フローチャート
【図４】同生体試料測定装置の表示部の表示例を示す図
【図５】同生体試料測定装置によるＩＤ入力操作を示す図
【図６】同生体試料測定装置の表示部の表示例を示す図
【図７】同生体試料測定装置の表示部の表示例を示す図
【図８】同生体試料測定装置の表示部の表示例を示す図
【発明を実施するための形態】
【０００９】
以下、本発明の一実施形態を、血糖値を測定する携帯型生体試料測定装置を例に挙げ、添付図面を用いて説明する。
＜１．実施の形態１＞
＜１．１  血糖値測定装置１００の外観＞
図１は、本実施形態に係る携帯型の血糖値測定装置１００（情報端末装置又は生体試料測定装置の一例）を示す。血糖値測定装置１００は、略長方形状の本体ケース１と、この本体ケース１の上面に設けられた表示部２と、この表示部２の下方に設けられた入力部３と、本体ケース１の下端に設けられた、血糖値センサ（図示せず）が挿入される挿入口４と、を備える。
【００１０】
入力部３は、選択キーとして用いる十字キー５と、十字キー５の中央に設けられ押圧により操作される決定キー６（第１の押圧キーの一例）と、十字キー５の周辺に設けられ押圧により操作される電源スイッチ７と、同じく十字キー５の周辺に設けられ押圧により操作されるＨｏｍｅキー８（変更キー又は第２の押圧キーの一例）と、を有する。十字キー５は、後述するように、表示部２内のカーソル（選択標示の一例）を移動させるために用いる。決定キー６は、カーソルで選択した情報を決定するために用いる。電源スイッチ７は電源をオン／オフするためのスイッチとして機能する。Ｈｏｍｅキー８は表示部２の表示内容を変更するために用いる。
【００１１】
＜１．２  血糖値測定装置１００の制御ブロック＞
図２は、血糖値測定装置１００の制御ブロック図である。入力部３は、制御部９に接続されている。また、制御部９（制御部の一例）には、表示切替部１０（制御部の一例）を介して、表示部２が接続されている。さらに、この制御部９には、測定部１１を介してセンサ装着部１２が接続されている。センサ装着部１２は、上記挿入口４の後方の本体ケース１内に配置されたものである。さらに、制御部９には、バーコードリーダ１３が接続されている。このバーコードリーダ１３は、本体ケース１の挿入口４とは反対側の端部に設けられる。さらにまた、制御部９には、時刻取得部１４、充電端子１５、バッテリー１６等が接続されている。
【００１２】
＜１．３  血糖値測定装置１００の動作＞
＜１．３．１  測定処理＞
図３Ａおよび図３Ｂは、血糖値を測定するときの表示部２の動作フローチャートを示す。以下、図１〜図３を参照しながら、表示部２の動作について説明する。
ステップＳ１０１：図３Ａに示すように、ユーザが電源スイッチ７を押す（或いはセンサ装着等に応じてでもよい）ことで、電源がオンの状態となる。
ステップＳ１０２：制御部９は電源がオンになったこと応じて、表示切替部１０に指令し、表示部２において、図４（ａ）に示すようなメニュー画面を表示させる。メニュー画面には、図４（ａ）に示すように、測定メニューエリア１７と管理メニューエリア１８とが表示される。メニュー画面が表示されたときには、測定メニューエリア１７がフォーカスされた状態、つまり選択された状態となっている。
【００１３】
ステップＳ１０３：測定を行う場合、ユーザが決定キー６を押すことで、表示部２においてフォーカスされた測定メニューが決定される。測定を行わず管理メニューが選択される場合は、後述するステップＳ１１１に進む。
ステップＳ１０４：決定キー６が操作されると、制御部９は、表示切替部１０に指令し、表示部２において測定者ＩＤ（入力情報又は測定者の識別情報の一例）の入力画面を表示させ、測定者ＩＤの入力を受け付ける。測定者ＩＤの入力は、後述するが、各文字キーへのカーソルの移動、選択及び決定の操作を繰り返すことにより行われる。
【００１４】
ステップＳ１０５〜Ｓ１０６：測定者ＩＤの最後の文字キーの入力が完了すると、ユーザによってＨｏｍｅキー８が押圧される。このとき、制御部９は表示切替部１０に指令して、表示部２におけるカーソルを確定キー２０に直接移動させる。
ステップＳ１０７：決定キー６が操作されると測定者ＩＤの入力が確定される。測定者ＩＤの認証後、制御部９は次いで、表示切替部１０に指令し、表示部２において患者ＩＤ入力画面を表示させ、患者ＩＤ（入力情報又は被測定者の識別情報の一例）の入力を受け付ける。入力操作については測定者ＩＤの入力と同様である。
【００１５】
ステップＳ１０８〜Ｓ１０９：患者ＩＤの最後の文字キーの入力が完了すると、ユーザによってＨｏｍｅキー８が押圧される。このとき、制御部９は表示切替部１０に指令して、表示部２におけるカーソルを確定キー２０に直接移動させる。
ステップＳ１１０：決定キー６が操作されると患者ＩＤの入力が確定される。患者ＩＤの認証後、制御部９は次いで、表示切替部１０に指令し、表示部２においてセンサＩＤ入力画面を表示させ、センサＩＤ（入力情報又はセンサの識別情報の一例）の入力を受け付ける。入力操作については測定者ＩＤの入力と同様である。
【００１６】
ステップＳ１１１〜Ｓ１１２：センサＩＤの最後の文字キーの入力が完了すると、ユーザによってＨｏｍｅキー８が押圧される。このとき、制御部９は表示切替部１０に指令して、表示部２におけるカーソルを確定キーに直接移動させる。
ステップＳ１１３：以上のようにＩＤ情報の入力が全て完了すると、制御部９は次いで、図３Ｂに示すように、表示切替部１０を制御して血液の点着待ち画面を表示させる。
【００１７】
ステップＳ１１４：血液の点着がセンサ装着部１２に装着されたセンサを介して測定部１１により検知されると、制御部９は、表示切替部１０を制御して測定画面を表示させる。
ステップＳ１１５：測定部１１により測定結果が出力されると、制御部９は、表示切替部１０を制御して測定結果を画面に表示させる。
ステップＳ１１６：ユーザが電源スイッチ７を押すことにより（或いはタイマー等に応じてでもよい）、制御部９は電源をオフにする。
【００１８】
＜１．３．２  管理メニューの入力処理＞
ステップＳ１２１：一方、ステップＳ１０３において管理メニューが選択された場合は、図８（ａ）に示す管理メニューが表示部２に表示される。管理メニューは、履歴メニューエリア２３と設定変更メニューエリア２４とを含み、このうち、履歴メニューエリア２３がフォーカスされている。
ステップＳ１２２：表示部２に管理メニューが表示された状態で、ユーザが決定キー６を押すと、制御部９が表示切替部１０に指令して、表示部２において図８（ｂ）に示すごとく、履歴表示２５を表示させる。更に、履歴表示２５の下方には、戻りメニューエリア２６が表示される。
【００１９】
ステップＳ１２３：一方、ステップＳ１２１において、設定変更メニューエリア２４を選択し、ユーザが決定キー６を押すと、図８（ｃ）に示すごとく、設定変更のための表示が行われる。具体的には、設定変更の表示は、ブザー音メニューエリア２７、画面輝度メニューエリア２８、ＩＤ設定メニューエリア２９を含む。
なお、このステップＳ１２１〜ステップＳ１２３において、Ｈｏｍｅキー８が押されると、制御部９が表示切替部１０を制御して表示部２の画面を測定者ＩＤ入力画面(ステップＳ１０４)に切替えさせる。
【００２０】
＜１．３．３  ＩＤの入力処理＞
以下、図３ＡにおけるステップＳ１０４〜Ｓ１１２の各ＩＤ入力を、患者ＩＤの入力を例にとって説明する。
図４（ｂ）は、測定者のＩＤ入力が完了した後、患者のＩＤを入力するための表示部２の表示状態を示している。この図に示すように、表示部２の上部には、文字列表示部１９が表示され、その下方には、０〜９までの数字を示すキー（説明の煩雑化を避けるために符号は省略）と、文字列表示部１９に表示された文字列を確定させる確定キー２０等が表示されている。図５は、患者ＩＤ（例えば、１２３９）の入力操作を示すものである。図６（ａ）は、患者ＩＤの先頭の「１」を表示させた状態を示すものである。
【００２１】
なお、本実施形態において、「文字」はcharacterを意味し、数字、符号、記号等も含む。
ステップＳ２０１：図４（ｂ）の表示が行われたとき、「５」のキーに、カーソルがフォーカスされている。先ず、ユーザが十字キー５を操作することにより、制御部９及び表示切替部１０を介して、表示部２において「１」のキーにカーソル移動させる。
【００２２】
ステップＳ２０２：次に、図１に示す決定キー６が押されると、図６（ａ）に示すように、文字列表示部１９には、「１」が表示される。
ステップＳ２０３：次に、ユーザが十字キー５を操作することにより、制御部９及び表示切替部１０を介して、表示部２において「２」のキーにカーソル移動させる。
【００２３】
ステップＳ２０４：そして、図１に示す決定キー６が押されると、図６（ｂ）に示すように、文字列表示部１９には「１２」が表示される。
ステップＳ２０５：次に、ユーザが十字キー５を操作することにより、制御部９及び表示切替部１０を介して、表示部２において「３」のキーにカーソル移動させる。
【００２４】
ステップＳ２０６：そして、図１に示す決定キー６が押されると、図６（ｃ）に示すように、文字列表示部１９には「１２３」が表示される。
ステップＳ２０７：次に、ユーザが十字キー５を操作することにより、制御部９及び表示切替部１０を介して、表示部２において「９」のキーにカーソル移動させる。
ステップＳ２０８：そして、図１に示す決定キー６が押されると、図６（ｄ）に示すように、文字列表示部１９には「１２３９」が表示される。
【００２５】
ステップＳ２０９：以上の操作で、患者ＩＤ「１２３９」の入力が完了したので、この患者ＩＤ（１２３９）を確定させることとなる。
このとき、従来であれば、最後の９のキーに位置するカーソルを十字キー５の操作により、キーを「９」、「８」、「７」、「４」、「１」、確定キー２０へと順次カーソル移動させ、その状態で決定キー６を押すことで、患者ＩＤ（１２３９）を確定していた。しかし、このように、最後の「９」のキーにカーソル移動していたものを確定キー２０へとカーソル移動させることは時間がかかりすぎ、操作性の悪いものとなってしまう。
【００２６】
そこで、本実施形態では、図３ＡのステップＳ１０４、Ｓ１０７、Ｓ１１０の入力画面が表示されている時に図１のＨｏｍｅキー８が押されると、図６（ｅ）に示すように、表示部２における数字の「９」から確定キー２０へとカーソルを瞬時に直接移動させる。
ステップＳ２１０：最後に、決定キー６が押されることにより、患者ＩＤが確定される。
【００２７】
ステップＳ２１１：表示部２に入力完了画面が表示される。このとき、表示部２は、図７（ａ）に示すごとく、文字列表示部１９に患者ＩＤ「１２３９」が表示され、その下方には、確認メニューエリア２１と、やり直しメニューエリア２２とが表示されている。またこのとき、確認メニューエリア２１が、フォーカスされている。決定キー６が押されると、制御部９により入力された患者ＩＤの認証が行われる。
【００２８】
なお、図７（ｂ）は、患者ＩＤ入力「１２３９」の入力を失敗した場合に決定キー６を押した状態を示す。これは、登録されている患者ＩＤと入力された患者ＩＤとが異なることを制御部９が判定したとき（つまり、ＩＤ情報の認証の失敗したとき）に、表示される。このとき、表示部２の下方にはやり直しメニューエリア２２がフォーカスされている。この状態で決定キー６を押すと、患者ＩＤ入力画面が表示され、入力をやり直すことができる。
以上のようにして、図３ＡのステップＳ１０４、Ｓ１０７、Ｓ１１０により、測定者ＩＤ、患者ＩＤ、センサＩＤが入力されるようになっている。なお、センサＩＤは、図２に示したバーコードリーダ１３によって、入力されるようになっている。
【００２９】
＜１．４  特徴＞
以上のように本実施形態に係る血糖値測定装置１００においては、
（ｉ）制御部９の指令に基づき、表示部２は、複数の文字キーと、複数の文字キーを選択することによって入力される一以上の文字を含む入力情報を確定させる確定キー２０と、複数の文字キーのうちいずれかを選択することを示すカーソルと、を表示し、
（ｉｉ）入力部３は、制御部９に対し、表示部２に表示されたカーソルを複数の文字キー上を順次移動させて、いずれかの文字キーを選択させる十字キー５と、表示部２の表示内容を変更させるＨｏｍｅキー８と、を有し、
（ｉｉｉ）制御部９は、表示部２に入力情報が表示されている状態で、Ｈｏｍｅキー８が操作されたとき、表示部２に表示されたカーソルを、選択されている文字キーから確定キー２０に直接移動させる。
【００３０】
このため、本実施形態においては、血糖値測定装置におけるＩＤ情報の入力操作の効率を高めることができる。特に、多忙な病院等において、一つの血糖値測定装置に多数の使用者があるにも関わらずそれぞれのＩＤ認証が必須である場合、この入力操作の効率を高める必要性が高い。また、最後の文字入力後に確定キー２０への到達が瞬時に行われることにより、十字キー５の誤操作による入力ミスの可能性も軽減することができる。
【００３１】
＜２  その他実施形態＞
なお、上記実施形態においては、血糖値測定装置を例に挙げているが、その他の生体試料の測定装置であってもよく、更に携帯電話や携帯型の情報端末装置等にも適用できる。更に、携帯型の機器でなくとも、設置型の情報端末装置にも適用できる。
【産業上の利用可能性】
【００３２】
本発明は、情報端末装置や、例えば、病院内において、血糖値などの生体試料を測定する携帯型生体試料測定装置としての活用が期待されるものとなる。
【符号の説明】
【００３３】
１  本体ケース
２  表示部
３  入力部
４  挿入口
５  十字キー
６  決定キー
７  電源スイッチ
８  Ｈｏｍｅキー
９  制御部
１０  表示切替部
１１  測定部
１２  センサ装着部
１３  バーコードリーダ
１４  時刻取得部
１５  充電端子
１６  バッテリー
１７  測定メニューエリア
１８  管理メニューエリア
１９  文字列表示部
２０  確定キー
２１  確認メニューエリア
２２  やり直しメニューエリア
２３  履歴メニューエリア
２４  設定変更メニューエリア
２５  履歴表示
２６  戻りメニューエリア
２７  ブザー音メニューエリア
２８  画面輝度メニューエリア
２９  ＩＤ設定メニューエリア
【図１】
2012117689.tif 000003
【図２】
2012117689.tif 000004
【図３Ａ】
2012117689.tif 000005
【図３Ｂ】
2012117689.tif 000006
【図４】
2012117689.tif 000007
【図５】
2012117689.tif 000008
【図６】
2012117689.tif 000009
【図７】
2012117689.tif 000010
【図８】
2012117689.tif 000011
【国際調査報告】
2012117689.tif 000012
2012117689.tif 000013
2012117689.tif 000014
2012117689.tif 000015